(57)【要約】【課題】  寝床上の空間に布団を干す器具において、未使用時に邪魔になりにくい器具を提供する。【解決手段】  回動自在の片持ちアームを用い、その軸に角度をつけ、寝床脇に移動させた際、寝床上にて布団を干す時よりもアームを低くし収納できる構造の布団干し具。【選択図】図１
2011015939.tif 000002
【特許請求の範囲】
【請求項１】
ベースとなる部材上に複数本の片持ちアームを回動自在に並べて設けた構造で、該アームが寝床縁に沿って並ぶよう寝床脇に設置し、寝床上の空間において該アームに布団を掛けて干すことを特徴とする布団干し具であって、前記回動の軸となる部分を、直立状態より該寝床縁と平行する方向もしくは該寝床縁から遠のく方向に傾けた角度で設けることにより、該アームを回動させ寝床脇に移動した際の該アームの高さが、寝床上にセットした状態での該アームの高さと比べ低くなることを特徴とする布団干し具。
【発明の詳細な説明】
【技術分野】
【０００１】  本発明は、主に寝床上の空間に布団を干すための器具に関するものである。
【背景技術】
【０００２】
【特許文献１】  特開２００９−９５６５３号
【発明の開示】
【発明が解決しようとする課題】
【０００３】  昔から布団は外に干すのが一般的であったが、最近の羽毛布団や羊毛布団など直射日光に当てない方がよい布団の使用者の増加、花粉アレルギーのため外に布団を干せない者の増加、ベランダへの布団干しが禁止されたマンションの増加、重い布団を室外まで運ぶのが困難な高齢者の増加など、さまざまな理由から布団の室内干し具の必要性が高まってきているが、従来の器具のほとんどが、室内の床の空いたスペースに置いて使うタイプであり、部屋が狭く器具を広げるスペースがない者、朝の時間に余裕のない者、力の弱い主婦や高齢者など多くの者から不満の声があげられていた。【０００４】  このような課題に対し、寝床上の空間に布団を掛けられる器具が有効である。しかしながら前記特許文献１の器具では、寝床上においてアームに布団を掛けた際、その布団が寝床面につかない程度にアームを高く設定する必要があり、未使用時にアームを寝床脇や寝床足側に移動したとしても、アームの高さは高いままなので、邪魔になることも多く、視覚的にも圧迫感を与えるものであった。
【課題を解決するための手段】
【０００５】  本発明は、上記課題を解決するためになされたものであり、ベースとなる部材上に複数本の片持ちアームを回動自在に並べて設けた構造で、該アームが寝床縁に沿って並ぶよう寝床脇に設置し、寝床上の空間において該アームに布団を掛けて干すことを特徴とする布団干し具であって、前記回動の軸となる部分を、直立状態より該寝床縁と平行する方向もしくは該寝床縁から遠のく方向に傾けた角度で設けることにより、該アームを回動させ寝床脇に移動した際の該アームの高さが、寝床上にセットした状態での該アームの高さと比べ低くなることを特徴とする布団干し具を提供する。【０００６】  請求項１の発明を詳細に説明すると次の通りである。請求項１文面中の「ベースとなる部材」とは、ベッドのフレームそのものであってもよい。また、請求項１文面中の「該寝床縁と平行する方向もしくは該寝床縁から遠のく方向」とは、すなわち、図２に示すように直立状態時の軸の位置を中心とする矢印Ａから矢印Ｂまでの１８０度の範囲内の何れかの方向のことである。
【発明の効果】
【０００７】  本発明による器具は、該アームを回動させ寝床脇に移動した際、利用者が特別な操作を加えなくても該アームの高さが自動的に低くなる構造である。【０００８】  また、例えば本器具を窓際に設置した場合、寝床脇でのアームの高さを低く抑えることにより窓の利用にも支障をきたすことなく、視覚的にも邪魔になりにくいものとすることが可能である。【０００９】  そして、何よりも部品点数を増やすことなくこれらの効果が得られることから、生産コスト及び耐久性において非常に有利に展開できる。【００１０】  また、ベッドマットレスの下に土台部分を差し込みベッドマットレスの重みにより器具を安定させるといった設置方法をとる場合、最も負荷のかかる該軸付け根部分を出来る限りベッドマットレスに近づけ設置する必要がある。ところが、該軸が垂直の場合、前記のような位置で設置すると、ベッドマットレス上面の高さにおいても器具とマットレスとの間に隙間はなく、掛け布団の幅がマットレスの幅より広い場合、器具を設置した側へは全くはみ出すことができないため反対側の縁から落ちやすくなるといった現象が起こる。一方、本発明による器具の場合、前記のような位置で設置したとしても、マットレス上面の高さにおいては、図７に示すように本器具とマットレスの間に隙間ができる。この構造的特徴により、前記の現象を起こりにくくする効果も得られる。
【実施例】
【００１１】  本実施例による布団干し具は、２本の片持ちアーム１が、回動自在にベース部２に軸着された構造であり、その詳細は次のとおりである。【００１２】  先ずベース部２は、図３から図５に示すように、ベッドマットレスの下に差し込まれ器具全体を支える土台部分３と、そこから斜め上方に延びた２本の軸部分４とからなる。そしてこの軸部分４の傾斜の角度と方向は、図６から図８に示すように、アーム１の高さが、寝床上で最も高くなり、寝床脇にアーム１を回動させた際、その先端が寝床に当たることなのない範囲の中で最も低くなるものとなっている。なお、この角度および方向については、該アームの形状や大きさにより異なってくる。また、軸部分４の下端には、突起５を設ける。【００１３】  次に片持ちアーム１についてであるが、本実施例では、湾曲状のタイプのアームを用い、軸部分４にはまる部分の下端には、図６に示す該アームが最も布団を掛けやすい位置にて突起５が収まるといった位置にセット用溝６を、図７および図８に示す寝床脇に回動させ最も邪魔になりにくい位置にて突起５が収まるといった位置に収納用溝７を設け、それぞれの位置において前記回動を系止することを可能としている。
【図面の簡単な説明】
【００１４】
【図１】  本発明一実施例による布団干し具の斜視図である。
【図２】  軸を傾ける方向を示すため寝床脇付近を上空から視た図である。
【図３】  本発明一実施例による布団干し具のベース部の正面図である。
【図４】  本発明一実施例による布団干し具のベース部の右側面図である。
【図５】  本発明一実施例による布団干し具のベース部の平面図である。
【図６】  本発明一実施例による布団干し具のセット状態の右側面図である。
【図７】  本発明一実施例による布団干し具のアーム収納状態の右側面図である。
【図８】  本発明一実施例による布団干し具のアーム収納状態の背面図である。
【図９】  本発明一実施例による布団干し具のアーム装着状態での軸部分の拡大側面図である。
【符号の説明】
【００１５】  １    片持ちアーム
２    ベース部
３    土台部分
４    軸部分
５    突起
６    セット用溝
７    収納用溝
８    直立状態時の軸の位置
９    寝床縁
【図１】
2011015939.tif 000003
【図２】
2011015939.tif 000004
【図３】
2011015939.tif 000005
【図４】
2011015939.tif 000006
【図５】
2011015939.tif 000007
【図６】
2011015939.tif 000008
【図７】
2011015939.tif 000009
【図８】
2011015939.tif 000010
【図９】
2011015939.tif 000011